(57)【特許請求の範囲】
【請求項１】
複数の遊技機に台間球貸し機を並設した遊技機島において、
前記遊技機は、パチンコ球を循環使用する遊技機であり、
所定数のパチンコ球を貯留するための上部タンクを、前記遊技機の背部に配設し、
アウト球を計数するためのアウト球計数器と、ゲームに使用されたパチンコ球を収容する使用球貯留槽を、前記遊技機下方の遊技機島内部に配設し、
前記使用球貯留槽から前記上部タンクにパチンコ球を揚上する揚上手段を、前記台間球貸し機の背部に沿うよう縦設し、
前記使用球貯留槽は、パチンコ球の貯留量が所定数を超えて溢れ出たパチンコ球を遊技機島内部に流下させるように構成され、該流下したパチンコ球を受けて研磨する研磨機を遊技機島内部に長手方向に沿って横設したことを特徴とする遊技機島。
【発明の詳細な説明】
【０００１】
【産業上の利用分野】
本発明は、複数の遊技機を並設した遊技機島に関する。
【０００２】
【従来の技術】
従来この種の遊技機及び遊技機島としては、例えば、特開平２−２５２４８１号に示すようなものがある。
【０００３】
すなわち、いわゆるタカラ島システム（完全島還元システム）で、パチンコ球の回収、研磨及び補給等を１つの島単位で還元して行う遊技機及び遊技機島である。
【０００４】
また、一フロア全体で行う還元システムにおいて導入される遊技機及び遊技機島、さらに、パチンコ店全体で行う全店還元システムにおいて導入される遊技機及び遊技機島もある。
【０００５】
これらのシステムにおける遊技機及び遊技機島では、何れも島内部におけるパチンコ球の供給装置は同一原理によるもので、ゲームで使用されたパチンコ球を島下段内に斜設した回収樋によって回収した後に研磨し、島上段内に設けた補給タンクに揚上し、そこから傾斜をつけた補給樋で各遊技機及び台間玉貸し機の上方まで搬送して供給していた。
【０００６】
【発明が解決しようとする課題】
しかしながら、このような従来の、システムにおける遊技機及び遊技機島では、島上段に補給タンクを設けるスペースが必要となり、また島下段には使用球の回収樋に傾斜をつけるためのスペースが必要となって島全体が高くなるという問題点があった。
【０００７】
また、島下段部はそのほとんどが回収樋に傾斜を付けるために必要とされ、そのためスペースの省略はほとんどできず、遊技者の膝が腰板にぶつかり窮屈であるという問題点があった。
【０００８】
本発明は、このような従来の問題点に着目してなされたもので、パチンコ球の循環使用が可能な遊技機を並設して空間利用に優れた遊技機島を提供することを目的としている。
【００１０】
【課題を解決するための手段】
かかる目的を達成するための要旨とするところは、次の各項に存する。
【００１１】
複数の遊技機（１０）に台間球貸し機（３０）を並設した遊技機島（５０）において、
前記遊技機（１０）は、パチンコ球を循環使用する遊技機であり、
所定数のパチンコ球を貯留するための上部タンク（１１）を、前記遊技機（１０）の背部に配設し、
アウト球を計数するためのアウト球計数器（１４）と、ゲームに使用されたパチンコ球を収容する使用球貯留槽（１５）を、前記遊技機（１０）下方の遊技機島（５０）内部に配設し、
前記使用球貯留槽（１５）から前記上部タンク（１１）にパチンコ球を揚上する揚上手段（２０）を、前記台間球貸し機（３０）の背部に沿うよう縦設し、
前記使用球貯留槽（１５）は、パチンコ球の貯留量が所定数を超えて溢れ出たパチンコ球を遊技機島（５０）内部に流下させるように構成され、該流下したパチンコ球を受けて研磨する研磨機（４１）を遊技機島（５０）内部に長手方向に沿って横設したことを特徴とする遊技機島（５０）。
【００１５】
【作用】
上部タンク（１１）には通常５００個程度のパチンコ球が供給されている。  ゲーム中に使用されたパチンコ球のうち、アウト球は遊技機下方の遊技機島に配設されたアウト球計数器（１４）で計数された後、アウト球計数器（１４）の下方に配設した使用球貯留槽（１５）に貯留される。使用球貯留槽（１５）はおよそ３０００個のパチンコ球の貯留が可能である。
【００１６】
使用球貯留槽（１５）のパチンコ球は、揚上手段（２０）により上部タンク（１１）へ揚上される。
【００１７】
使用球貯留槽（１５）は密閉タンクではなく、およそ３０００個の貯留量を超えるパチンコ球は溢れ出て遊技機島内部を流下するようになっている。
【００１８】
これによって、１台の遊技機（１０）で最大およそ３５００個のパチンコ球を循環させるこができる。
【００１９】
前記遊技機（１０）には通常の方法で遊技機島（５０）の補給樋（５１）から前記上部タンク（１１）へパチンコ球が補給されている。それによって、前記使用球貯留槽（１５）からパチンコ球が溢れるでることになる。
【００２０】
前記使用球貯留槽（１５）から溢れ出た使用球は遊技機島（５０）内部を流下し、遊技機島内部に長手方向に沿って横設された研磨機（４１）によって研磨される。該研磨されたパチンコ球は、遊技機島（５０）に設けられた揚上機構（７０）によって前記補給樋（５１）へ揚上される。
【００２１】
これによって、研磨済みのパチンコ球を各遊技機（１０）に補給することができる。
【００２２】
【実施例】
以下、図面に基づき本発明の各種実施例を説明する。
【００２３】
図１は本発明の一実施例である遊技機の裏側を示している。
【００２４】
図１に示すように、パチンコ球を遊技媒体とする遊技機１０とパチンコ球を貸し出す台間玉貸し機３０が並設されている。遊技機１０の上背部には上部タンク１１が遊技機１０の上端部より高くならない位置に配設されている。その上部タンク１１はパチンコ球がおよそ５００個入る容量を有している。上部タンク１１は後に記載する揚上手段２０からパチンコ球の補給を受けることができるように上面部の一部に開口が形成され、あるいは全てが開口となっている。また、上面部には遊技機１０のパチンコ球総保有数が減少したときに、後に記載する遊技機島５０の補給樋５１からパチンコ球の補給が可能なように補給樋５１と連結された連通部材５２の一端が配置されている。
【００２５】
上部タンク１１の底部には補給シュート１２が設けられている。補給シュート１２の下端部は入賞球払出し装置（図示せず）等を備えた入賞球処理装置１３と連結されている。上部タンク１１に貯留されたパチンコ球Ｐはこの補給シュート１２を介して入賞球処理装置１３へ補給される。
【００２６】
入賞球処理装置１３はパチンコ球が入賞口に入ったとき所定数のパチンコ球を遊技機１０の表側に設けた前皿６０（図３参照）に払い出すためのものである。ゲームに使用されたパチンコ球のうち入賞したものは入賞球処理装置１３を介して、遊技機１０の下方で遊技機島下段５０ｃに構成された遊技媒体研磨貯留部４０側に設けられた使用球貯留槽１５に収容される。いずれの入賞口にも入らなかったパチンコ球はアウト球計数器１４で計数された後、やはり使用球貯留槽１５に貯留される。
【００２７】
使用球貯留槽１５の底部は傾斜がつけられており、その傾斜の最下部にはパチンコ球Ｐ、Ｐ…を上部タンク１１へ揚上するための揚上手段２０の一端部が取り付けられている。揚上手段２０は例えば使用球貯留槽１５の底部の最下部にスプロケット２１を設け、それによりパチンコ球を取り込んで順次揚上するものである。揚上手段２０の揚上部２２は台間球貸し機３０の背部に沿うように配設されている。揚上手段２０の上端部はパチンコ球を上部タンク１１にその上方から供給できるように配設されている。
【００２８】
次に本発明の一実施例である遊技機の作用を説明する。
【００２９】
図１において、上部タンク１１には研磨済のパチンコ球Ｐを５００個ほど貯留しておく。また、使用球貯留槽１５には約３０００個の研磨済みパチンコ球を貯留しておく。
【００３０】
遊技者がハンドル６１（図３参照）を操作してゲームが開始されると、前皿６０に溜まっているパチンコ球が球発射装置（図示せず）によって遊技盤面上に打ち出される。
【００３１】
各入賞口（図示せず）に入った入賞球は入賞球処理装置１３に誘導される。その入賞の種類によって入賞球処理装置１３が上部タンク１１に貯留してあるパチンコ球から所定数だけ前皿６０に払い出す。その後、入賞球は使用球貯留槽１５に落ちる。
【００３２】
一方、何れの入賞口にも入らなかったパチンコ球は、盤面のアウト球流入口（図示せず）からアウト球計数器１４へ誘導されて、計数された後に使用球貯留槽１５に貯留される。使用球貯留槽１５に貯留されるパチンコ球の量がおよそ３０００個を超えると、それ以上のパチンコ球は溢れ落ちる。
【００３３】
使用球貯留槽１５の底部は傾斜が付けられているので、収容されたパチンコ球Ｐは底部の最下部へ集まる。
【００３４】
最下部には使用球貯留槽１５に収容されたパチンコ球Ｐを上部タンク１１へ揚上するための揚上手段２０の一端が設けられている。そこにはスプロケット２１が内蔵されており、集まったパチンコ球Ｐは順次取り込まれ上部タンク１１の上方へ押し上げられた後、上部タンク１１へ供給される。
【００３５】
使用球貯留槽１５からパチンコ球が溢れ出ることにより、パチンコ球の保有量が減った遊技機１０には、従来の方法により補給樋５１から連通部材５２を介してパチンコ球Ｐが供給される。
【００３６】
このように、遊技機１０は１台づつ独立してパチンコ球を循環使用しつつ、パチンコ球の一部を入れ替えることができる。
【００３７】
次に、上記実施例の遊技機１０と台間球貸し機３０を複数並設した遊技機島の第１実施例について説明する。
【００３８】
図２乃至図４には本発明の遊技機１０を並設した遊技機島５０が示されている。
【００３９】
図２及び３に示すように、島中段５０ｂは背中合わせに複数の遊技機１０を、それらの背面間に他の遊技関連設備を介在させず互いに対接させた状態で横方向に延びるよう列設して成る。従って、その幅は背中合わせに対接させた遊技機２台分に相当する奥行幅に構成されている。また、横方向に並ぶ各遊技機１０の間には、図２に示したように台間球貸し機３０が介装されている。
【００４０】
遊技機１０の背面側には、役物に使われるＣＲＴ等のかさ張る特定部品を収めた入賞処理装置１３が出っ張っているが、背中合わせの２台の遊技機１０は、これらの入賞処理装置１３が互いに回避する状態でうまく対接すべく配されている。２台の遊技機１０の背面側は互いにぴったりと当ててもよく、また、多少の間隙を開けて対接させてもよい。何れにせよ、前後２列の遊技機１０の背面間には、他の遊技関連装置を介装する余地はなく、従来この背面間に介装されていた紙幣搬送装置８０は、島上段５０ａ側に配設されている。
【００４１】
図４に示されているように対接された台間球貸し機３０の背部間にはかなりの間隙が残されている。その間隙内を図１、２及び４に示すように、揚上部２２が台間球貸し機３０の背部に沿って遊技機１０の上端部を超えないように上部タンク１１の上方まで延び、緩やかに湾曲した後、その端部は上部タンク１１の上部の開口へ向けられている。
【００４２】
各遊技機１０上の島上段５０ａには、各遊技機１０にパチンコ球Ｐを供給する補給樋５１と、パチンコ球との引き換えに取り込んだ紙幣を横方向に搬送する紙幣搬送装置８０とをそれぞれ横方向に延びるように配設してなる。図２に示すように補給樋５１の途中数箇所には、各遊技機１０に対応した供給部材５３が取り付けられており、各供給部材５３と遊技機１０とはパチンコ球が流下するジャバラ状の連通部材５２で接続されている。
【００４３】
補給樋５１の上には、パチンコ球と引き換えに取り込んだ紙幣を横方向に搬送する紙幣搬送装置８０が同じく横方向に延びるように配設されている。補給樋５１や紙幣搬送装置８０は、島上段５０ａの外壁をなすカバー部材９０で覆われている。
【００４４】
前記島中段５０ｂの下側の島下段５０ｃは、腰板４３、底板４４及び天板４５に囲まれた箱状枠形に形成され、島下段５０ｃそのものが、各遊技機１０から排出されるパチンコ球Ｐをそのまま貯留する貯留タンクのように構成されている。島下段は通常、島の端部または中央部に立設されたパチンコ球研磨機へパチンコ球を送るための回収樋等が設けられているが、本実施例の遊技機島５０においては研磨機４１は島下段５０ｃ内に横設されている。
【００４５】
研磨機４１の上方には、各遊技機１０の使用球貯留槽１５から溢れ出たパチンコ球を研磨機４１のパチンコ球取込み側へ送るための球受樋４２が、パチンコ球取込み側へ向けて緩やかに下がるように遊技機島５０の長手方向に沿って横設されている。
【００４６】
研磨機４１は２機のベルトコンベアー４６ａ、４６ｂを有している。何れのベルトコンベアー４６ａ、４６ｂも、モータ（図示せず）により回転駆動する駆動プーリ４７ａと、従動プーリ４７ｂと、各プーリ４７ａ、４７ｂに巻掛けられた搬送ベルト４８ａ、４８ｂとからなる。
【００４７】
２機のベルトコンベアー４６ａ、４６ｂは遊技機島５０の長手方向に沿って上下に平行に併設してあり、その間隔はそれらの搬送ベルト４８ａ、４８ｂ間にパチンコ球Ｐを挟めるだけの間隔を取ってある。搬送ベルト４８ａ、４８ｂは研磨材から作られ、弾発力を有するように作られるので、搬送ベル４８ａ、４８ｂの厚み次第では上下のベルトコンベアー４６ａ、４６ｂの搬送ベルト４８ａ、４８ｂが接するように配置してもよい。
【００４８】
本実施例の遊技機島５０では、その島下段５０ｃ内が研磨済みパチンコ球の貯留タンクとなる。島下段５０ｃの底部には研磨機４１の球排出側から他端側へ向けて遊技機島５０の長手方向へ緩やかに低く傾斜するように作られている。
【００４９】
さらに、底部には貯留されたパチンコ球を傾斜方向へ移送する回転可能な螺旋状体６１が配設されている。螺旋状体６１の一端部は球排出側の底部に設置された駆動モータ６２の出力軸に連結されている。螺旋状体６１の他端部側には、島下段５０ｃに貯留したパチンコ球を揚送し、島上段５０ａに配設した補給樋５１に供給するための揚送機構７０が配設されている。
【００５０】
次に、遊技機島の第１実施例の作用について説明する。
【００５１】
図２に示すように、先に、遊技機１０に関して説明したように、使用球貯留槽１５から溢れ出たパチンコ球は球受樋４２によって研磨機４１のパチンコ球取込み側へ送られる。
【００５２】
研磨機４１に取り込まれたパチンコ球は、研磨ベルトである搬送ベルト４８ａ、４８ｂとに挟持されつつ搬送される間に研磨され、研磨機４１の他端側へ送られて排出される。排出されたパチンコ球は島下段５０ｃの底部の傾斜に沿って揚送機構７０側へ集まる。あるいは、駆動モータ６２によって駆動される螺旋状体６１により揚送機構７０側へ移送される。
【００５３】
揚送機構７０は取り込んだパチンコ球を島上段５０ａまで揚送し、島上段５０ａ内に設けられた補給樋５１に供給する。
【００５４】
補給樋５１に供給されたパチンコ球は通常の方法によって適宜各遊技機１０、１０…に補給される。
【００５５】
遊技機１０に供給されたパチンコ球は、先に遊技機１０に関して説明したように、使用球貯留槽１５から溢れ出ない分は、各遊技機１０、１０…内で独立して循環する。各遊技機１０、１０…内で循環しているパチンコ球は遊技者の手に殆ど触れることはないので汚れは少ないうえに、循環の途中で使用球貯留槽１５から溢れ出たパチンコ球は研磨機４１によって研磨され、各遊技機に供給されるので各遊技機においては常にきれいなパチンコ球を使用することが可能である。
【００５６】
次に、図５を参照して遊技機島の第２実施例について説明する。
【００５７】
なお、第１実施例と同種の部位については同一符号を付し、重複した説明は省略する。
【００５８】
第１実施例においては研磨機４１のパチンコ球の取込み側がパチンコ球の排出側よりも高い位置、あるいは、同じ高さにあるように設けられていた。しかし、本実施例においては、パチンコ球の取込み側が排出側よりも低い位置にあるように設置されている。そのため、本実施例においては、第１実施例において各遊技機１０、１０…の使用球貯留槽１５から溢れ出たパチンコ球を研磨機４１のパチンコ球取込み側まで誘導するために設けられていた球受樋４２は具備していない。  次に、遊技機島の第２実施例の作用について説明する。
【００５９】
各遊技機１０、１０…の使用球貯留槽１５から溢れ出たパチンコ球は、研磨機４１の上側のベルトコンベア４６ａの研磨ベルト４８ａ上に落ちる。ベルトコンベア４６ａ、４６ｂはパチンコ球の取込み側に向かって緩やかに下がっているので、研磨ベルト４８ａ上に落ちたパチンコ球は自然にパチンコ球取込み側へ転がる。また、研磨ベルト４８ａはベルトコンベア４６ａの上側では排出側から取込み側へ動いているので、研磨ベルト４８ａ上に落ちた後、転がらないパチンコ球があったとしても研磨ベルト４８ａにより確実に取込み側へ搬送される。
【００６０】
取込み側で研磨機４１に取り込まれたパチンコ球は、第１実施例と同様に、研磨ベルト４６ａ、４６ｂに挟持されながら搬送される間に研磨される。
【００６１】
研磨機４１のパチンコ球排出側から排出されたパチンコ球は、第１実施例で説明したように、遊技機島５０の島下段５０ｃに貯留され、螺旋状体６１によって揚送機構７０まで移送された後、揚送機構７０によって島上段５０ａに設けた補給樋５１に供給され、適宜各遊技機１０、１０…に補給される。
【００６２】
本実施例では、各遊技機１０の各使用球貯留槽１５から溢れ出たパチンコ球を研磨機４１のパチンコ球取込み側まで誘導するための球受樋４２を必要としないので、島下段５０ｃの使用可能なスペースがより大きくなる。あるいは、球受樋４２を設けない分だけ島下段５０ｃを低くすることができ、延いては遊技機島５０全体の高さを低くすることができる。
【００６３】
【発明の効果】
本発明にかかる遊技機島によれば、各遊技機がほとんど独立してパチンコ球を循環使用するので、従来の遊技機島単位で循環使用していたものと比べて、遊技機島内部に上下ともスペースに余裕ができる。また、島幅を従来技術のものよりも小さくすることが出来るので、島と島の間隔を広くすることができる。
【図面の簡単な説明】
【図１】本発明の遊技機の一実施例の背面図である。
【図２】本発明の遊技機を設置した遊技機島の第１実施例で、遊技機の背面側を示す略図である。
【図３】本発明の遊技機を設置した遊技機島の第１実施例で、遊技機島の長手方向に直交する方向から見た略示断面図である。
【図４】本発明の遊技機を設置した遊技機島の第１実施例の島中段を示す平面図である。
【図５】本発明の遊技機を設置した遊技機島の第２実施例で、遊技機の背面側を示す略図である。
【符号の説明】
１０…遊技機
１１…上部タンク
１４…アウト球計数器
１５…使用球貯留槽
２０…揚上手段
３０…台間球貸し機
４０…遊技媒体研磨貯留部
４１…研磨機
４２…球受樋
４９…遊技機設置部
５０…遊技機島
５０ｂ…遊技機島中段
５０ｃ…遊技機島下段
【図１】
0003805805.tif 000002
【図２】
0003805805.tif 000003
【図３】
0003805805.tif 000004
【図４】
0003805805.tif 000005
【図５】
0003805805.tif 000006